(57)【要約】【課題】  妊婦と、妊婦に関連する対象者との間で胎動があったことについての互いの共有感を高めることができる技術を提供する。【解決手段】胎動情報共有システム１は、妊婦Ａの胎動を検出する胎動検出センサ２と、胎動検出センサ２の出力に基づいて胎動に関する胎動情報を生成する情報生成部１６ａと、前記胎動情報を、当該胎動情報の出力先となる遠隔地の家族Ｂへ出力する胎動情報出力部１８ａと、出力された前記胎動情報に対する家族Ｂによる応答を受け付ける受付処理部１８ｂと、受付処理部１８ｂが前記応答を受け付けると、受付処理部１８ｂが前記応答を受け付けたことを妊婦Ａへ示すための応答情報を妊婦Ａへ出力する応答出力部１６ｂと、を備えている。【選択図】図１
2018171265.tif 000002
【特許請求の範囲】
【請求項１】
妊婦の胎動を検出するセンサと、
前記センサの出力に基づいて前記胎動に関する胎動情報を生成する情報生成部と、
前記胎動情報を、当該胎動情報の出力先となる遠隔地の対象者へ出力する第１出力部と、
出力された前記胎動情報に対する前記対象者による応答を受け付ける受付部と、
前記受付部が前記応答を受け付けると、前記受付部が前記応答を受け付けたことを示すための応答情報を前記妊婦へ出力する第２出力部と、
を備えている胎動情報共有システム。
【請求項２】
前記第１出力部は、前記胎動情報を、文字、画像、音声、動画、及び振動の内、いずれか１つ、又はこれらの組み合わせによって出力する請求項１に記載の胎動情報共有システム。
【請求項３】
前記第２出力部は、前記応答情報を、文字、画像、音声、動画、及び振動の内、いずれか１つ、又はこれらの組み合わせによって出力する請求項１又は請求項２に記載の胎動情報共有システム。
【請求項４】
前記対象者に対する宣伝のための広告情報を生成する広告情報生成部と、
前記受付部が前記応答を受け付けると、前記広告情報を前記対象者へ出力する広告出力部と、をさらに備えている
請求項１から請求項３のいずれか一項に記載の胎動情報共有システム。
【請求項５】
前記受付部は、前記胎動情報の回数をカウントし、前記回数が所定の条件を満たしたときに広告出力部に前記広告情報を前記対象者へ出力させる請求項４に記載の胎動情報共有システム。
【請求項６】
前記妊婦の出産予定日を受け付ける予定日受付部をさらに備え、
前記広告情報生成部は、現在日と前記出産予定日との差に基づいて前記対象者に対する宣伝のための広告情報を生成する
請求項４又は請求項５に記載の胎動情報共有システム。
【請求項７】
前記受付部は、前記対象者による応答のための操作を受け付ける操作部を複数備えている
請求項４から請求項６のいずれか一項に記載の胎動情報共有システム。
【請求項８】
前記複数の操作部には、前記操作を受け付けると、前記受付部が前記広告出力部に前記広告情報を出力させる第１操作部が含まれている
請求項７に記載の胎動情報共有システム。
【請求項９】
前記複数の操作部には、前記操作を受け付けると、前記受付部が前記端末装置において実行可能な通信アプリケーションを起動させる第２操作部が含まれている
請求項７又は請求項８に記載の胎動情報共有システム。
【請求項１０】
前記センサは、複数の前記妊婦に設けられ、
前記第１出力部は、複数の前記妊婦の各々に対応する対象者へ前記胎動情報を出力し、
前記受付部が応答を受け付けるごとに応答先の前記妊婦にポイントを付与し、付与されたポイント数を複数の前記妊婦ごとに管理するポイント管理部と、
複数の前記妊婦それぞれに付与されたポイント数を複数の前記妊婦に出力するポイント出力部と、さらに備えている
請求項１から請求項９のいずれか一項に記載の胎動情報共有システム。
【請求項１１】
前記センサは、複数の前記妊婦に設けられ、
前記情報生成部及び前記第２出力部は、複数の前記センサそれぞれに接続され複数の前記妊婦それぞれが所有する第１端末装置に設けられ、
前記第１出力部及び前記受付部は、複数の前記妊婦に対応する前記対象者それぞれが所有する第２端末装置に設けられ、
前記第１端末装置及び前記第２端末装置との間で通信可能な管理サーバに設けられ、複数の前記妊婦及びこれらに対応する対象者に関する対象者関連情報を管理するとともに前記情報生成部が生成する前記胎動情報を前記第１出力部へ与え、前記受付部が前記応答を受け付けると、前記応答を受け付けたこと示す受付情報を前記第２出力部へ与える情報管理部をさらに備えている
請求項１から請求項１０のいずれか一項に記載の胎動情報共有システム。
【請求項１２】
前記情報生成部及び前記第２出力部は、前記センサに接続され前記妊婦が所有する第１端末装置に設けられ、
前記第１出力部及び前記受付部は、前記対象者が所有する前記第１端末装置と通信可能な第２端末装置に設けられている
請求項１から請求項９のいずれか一項に記載の胎動情報共有システム。
【請求項１３】
妊婦の胎動に関する胎動情報を、前記妊婦と、前記胎動情報の出力先となる対象者との間で共有するための方法であって、
センサにより前記胎動を検出するステップと、
前記センサの検出結果に基づいて前記胎動情報を生成するステップと、
前記胎動情報を、前記対象者へ出力するステップと、
出力された前記胎動情報に対する前記対象者による応答を受け付けるステップと、
前記応答を受け付けると、前記応答を受け付けたことを示す応答情報を前記妊婦へ出力するステップと、
を含む
方法。
【請求項１４】
妊婦の胎動に関する胎動情報を、前記妊婦と、前記胎動情報の出力先となる対象者との間で共有するための処理をコンピュータに実行させるためのコンピュータプログラムであって、
前記胎動を検出するセンサの出力に基づいて前記胎動情報を生成するステップと、
前記胎動情報を、前記対象者へ出力するステップと、
出力された前記胎動情報に対する前記対象者による応答を受け付けるステップと、
前記応答を受け付けると、前記応答を受け付けたことを示す応答情報を前記妊婦へ出力するステップと、
をコンピュータに実行させるためのコンピュータプログラム。
【請求項１５】
妊婦の胎動に関する胎動情報を、前記妊婦と、前記胎動情報の出力先となる対象者との間で共有するための情報共有システムに用いられる端末装置であって、
前記胎動を検出するセンサの出力に基づいて前記胎動情報を生成する情報生成部と、
前記対象者に出力された前記胎動情報に対する前記対象者による応答を受け付ける受付部が前記応答を受け付けると、応答情報を前記妊婦へ出力する第２出力部と、
を備えている端末装置。
【請求項１６】
妊婦の胎動に関する胎動情報を、前記妊婦と、前記胎動情報の出力先となる対象者との間で共有するための情報共有システムに用いられる端末装置であって、
前記胎動を検出するセンサの出力に基づいて生成される前記胎動情報を前記対象者へ出力する第１出力部と、
前記胎動情報に対する前記対象者による応答を受け付けたことを示す応答情報を出力する第２出力部に、前記応答情報を前記妊婦へ出力させるために、前記対象者による前記応答を受け付ける受付部と、
を備えている端末装置。
【請求項１７】
妊婦の胎動に関する胎動情報を、前記妊婦と、前記胎動情報の出力先となる対象者との間で共有するための情報共有システムに用いられる管理サーバであって、
前記妊婦及び前記妊婦に対応する前記対象者に関する対象者関連情報を管理するとともに、前記妊婦の胎動を検出するセンサの出力に基づいて生成される胎動情報を前記対象者へ出力するための第１出力部へ与え、前記胎動情報に対する前記対象者による応答を受け付ける受付部が前記応答を受け付けると、前記受付部が受付情報を前記第２出力部へ与える情報管理部を備えている管理サーバ。
【発明の詳細な説明】
【技術分野】
【０００１】
本発明は、胎動情報共有システム、胎動情報を共有するための方法、コンピュータプログラム、端末装置、及び管理サーバに関する。
【背景技術】
【０００２】
従来から、妊婦の胎動を監視するために、妊婦に対して胎動を検出するためのセンサを装着し、無線通信等を介して前記センサによるセンサ出力を取得し、外部から胎動を監視する試みがなされていた（例えば、特許文献１参照）。
【先行技術文献】
【特許文献】
【０００３】
【特許文献１】特開２０１３−１６９４０９号公報
【発明の概要】
【発明が解決しようとする課題】
【０００４】
上記従来例は、医学的な観点から医師が監視する際に用いられることが多く、センサ出力は医師に送信され、医師によって取り扱われることが多い。
その一方、妊婦と家族との間で胎動が生じたことについて共有するために、胎動を検出するセンサの検出結果を、妊婦の家族に通知するといったことについては行われていない。すなわち、妊婦と家族との間で胎動が生じたことについて共有することでその共有感を高め、ひいては、新たな家族が増えることに対しての期待感等、家族の気持ちを高めるといったことは行われていない。
【０００５】
本発明はこのような事情に鑑みてなされたものであり、妊婦と、妊婦に関連する対象者との間で胎動があったことについての互いの共有感を高めることができる技術を提供することを目的とする。
【課題を解決するための手段】
【０００６】
（１）本発明に係る胎動情報共有システムは、妊婦の胎動を検出するセンサと、前記センサの出力に基づいて前記胎動に関する胎動情報を生成する情報生成部と、前記胎動情報を、当該胎動情報の出力先となる遠隔地の対象者へ出力する第１出力部と、出力された前記胎動情報に対する前記対象者による応答を受け付ける受付部と、前記受付部が前記応答を受け付けると、前記受付部が前記応答を受け付けたことを示すための応答情報を前記妊婦へ出力する第２出力部と、を備えている。
【０００７】
上記構成によれば、胎動が検出されたことを示す胎動情報を対象者へ出力するので、対象者は妊婦の胎動があったことを妊婦による連絡を介することなく認識できる。
また、妊婦は、胎動があったことを妊婦自身が伝えていない対象者から、胎動があったことについての応答を受け取ることができる。
このため、妊婦及び対象者は、胎動があったことについての情報を互いに伝え合うことなく、胎動があったという同じ事実を認識することができる。この結果、妊婦及び対象者における、胎動があったことについての互いの共有感を高めることができる。
【０００８】
（２）上記胎動情報共有システムにおいて、前記第１出力部は、前記胎動情報を、文字、画像、音声、動画、及び振動の内、いずれか１つ、又はこれらの組み合わせによって出力することが好ましい。
【０００９】
（３）また、前記第２出力部は、前記応答情報を、文字、画像、音声、動画、及び振動の内、いずれか１つ、又はこれらの組み合わせによって出力することが好ましい。
【００１０】
（４）上記胎動情報共有システムにおいて、前記対象者に対する宣伝のための広告情報を生成する広告情報生成部と、前記受付部が前記応答を受け付けると、前記広告情報を前記対象者へ出力する広告出力部と、をさらに備えていてもよい。
この場合、妊婦や、お産、新生児等にとって必要な商品等の宣伝のための広告情報を適切なタイミングで対象者に出力することができる。
【００１１】
（５）前記受付部は、前記胎動情報の回数をカウントし、前記回数が所定の条件を満たしたときに広告出力部に前記広告情報を前記対象者へ出力させることが好ましい。
この場合、対象者へ胎動情報を出力するごとに広告情報を出力するのではなく、一定の間隔を置いて広告情報を出力することができ、対象者の期待感が高まったタイミングで広告情報を出力することができる。
【００１２】
（６）また、前記妊婦の出産予定日を受け付ける予定日受付部をさらに備え、前記広告情報生成部は、現在日と前記出産予定日との差に基づいて前記対象者に対する宣伝のための広告情報を生成するものであってもよい。
この場合、妊婦の出産予定日までの時期に応じて適切な広告情報を対象者に出力することができる。
【００１３】
（７）前記受付部は、前記対象者による応答のための操作を受け付ける操作部を複数備えていることが好ましい。
この場合、複数の操作部それぞれに異なる処理を対応付けることができる。
【００１４】
（８）前記複数の操作部には、前記操作を受け付けると、前記受付部が前記広告出力部に前記広告情報を出力させる第１操作部が含まれていてもよい。
（９）また、前記複数の操作部には、前記操作を受け付けると、前記受付部が前記端末装置において実行可能な通信アプリケーションを起動させる第２操作部が含まれていてもよい。
この場合、対象者に対して複数の選択肢を提示することができ、対象者が容易に応答することができる。
【００１５】
（１０）上記胎動情報共有システムにおいて、前記センサは、複数の前記妊婦に設けられ、前記第１出力部は、複数の前記妊婦の各々に対応する対象者へ前記胎動情報を出力し、前記受付部が応答を受け付けるごとに応答先の前記妊婦にポイントを付与し、付与されたポイント数を複数の前記妊婦ごとに管理するポイント管理部と、複数の前記妊婦それぞれに付与されたポイント数を複数の前記妊婦に出力するポイント出力部と、さらに備えていてもよい。
この場合、複数の妊婦同士間でポイント数を競わせることができる。
【００１６】
（１１）上記胎動情報共有システムにおいて、前記センサは、複数の前記妊婦に設けられ、前記情報生成部及び前記第２出力部は、複数の前記センサそれぞれに接続され複数の前記妊婦それぞれが所有する第１端末装置に設けられ、前記第１出力部及び前記受付部は、複数の前記妊婦に対応する前記対象者それぞれが所有する第２端末装置に設けられ、前記第１端末装置及び前記第２端末装置との間で通信可能な管理サーバに設けられ、複数の前記妊婦及びこれらに対応する対象者に関する対象者関連情報を管理するとともに前記情報生成部が生成する前記胎動情報を前記第１出力部へ与え、前記受付部が前記応答を受け付けると、前記応答を受け付けたこと示す受付情報を前記第２出力部へ与える情報管理部をさらに備えていてもよい。
この場合、情報管理部によって、端末に関する情報を一括管理することができる。
【００１７】
（１２）上記胎動情報共有システムにおいて、前記情報生成部及び前記第２出力部は、前記センサに接続され前記妊婦が所有する第１端末装置に設けられ、前記第１出力部及び前記受付部は、前記対象者が所有する前記第１端末装置と通信可能な第２端末装置に設けられていることが好ましい。
【００１８】
（１３）また、本発明は、妊婦の胎動に関する胎動情報を、前記妊婦と、前記胎動情報の出力先となる対象者との間で共有するための方法であって、センサにより前記胎動を検出するステップと、前記センサの検出結果に基づいて前記胎動情報を生成するステップと、前記胎動情報を、前記対象者へ出力するステップと、出力された前記胎動情報に対する前記対象者による応答を受け付けるステップと、前記応答を受け付けると、前記応答を受け付けたことを示す応答情報を前記妊婦へ出力するステップと、を含む。
【００１９】
（１４）また、本発明は、妊婦の胎動に関する胎動情報を、前記妊婦と、前記胎動情報の出力先となる対象者との間で共有するための処理をコンピュータに実行させるためのコンピュータプログラムであって、前記胎動を検出するセンサの出力に基づいて前記胎動情報を生成するステップと、前記胎動情報を、前記対象者へ出力するステップと、出力された前記胎動情報に対する前記対象者による応答を受け付けるステップと、前記応答を受け付けると、前記応答を受け付けたことを示す応答情報を前記妊婦へ出力するステップと、をコンピュータに実行させるためのコンピュータプログラムである。
【００２０】
（１５）本発明は、妊婦の胎動に関する胎動情報を、前記妊婦と、前記胎動情報の出力先となる対象者との間で共有するための情報共有システムに用いられる端末装置であって、前記胎動を検出するセンサの出力に基づいて前記胎動情報を生成する情報生成部と、前記対象者に出力された前記胎動情報に対する前記対象者による応答を受け付ける受付部が前記応答を受け付けると、応答情報を前記妊婦へ出力する第２出力部と、を備えている。
【００２１】
（１６）また、本発明は、妊婦の胎動に関する胎動情報を、前記妊婦と、前記胎動情報の出力先となる対象者との間で共有するための情報共有システムに用いられる端末装置であって、前記胎動を検出するセンサの出力に基づいて生成される前記胎動情報を前記対象者へ出力する第１出力部と、前記胎動情報に対する前記対象者による応答を受け付けたことを示す応答情報を出力する第２出力部に、前記応答情報を前記妊婦へ出力させるために、前記対象者による前記応答を受け付ける受付部と、を備えている。
【００２２】
（１７）また、本発明は、妊婦の胎動に関する胎動情報を、前記妊婦と、前記胎動情報の出力先となる対象者との間で共有するための情報共有システムに用いられる管理サーバであって、前記妊婦及び前記妊婦に対応する前記対象者に関する対象者関連情報を管理するとともに、前記妊婦の胎動を検出するセンサの出力に基づいて生成される胎動情報を前記対象者へ出力するための第１出力部へ与え、前記胎動情報に対する前記対象者による応答を受け付ける受付部が前記応答を受け付けると、前記受付部が受付情報を前記第２出力部へ与える情報管理部を備えている。
【発明の効果】
【００２３】
本発明によれば、妊婦と、妊婦に関連する対象者との間で胎動があったことについての互いの共有感を高めることができる。
【図面の簡単な説明】
【００２４】
【図１】第１実施形態に係る胎動情報共有システムの全体構成を示す図である。
【図２】胎動検出センサの外観図である。
【図３】センサシートの断面図である。
【図４】第１端末と、第２端末との間で行われる処理を示したシーケンス図である。
【図５】胎動情報出力部が胎動情報を出力するために、入出力装置のタッチパネルに表示させる表示画面の一例を示す図である。
【図６】（ａ）は、受付処理部がタッチパネルに表示させる応答受付画面の一例を示す図、（ｂ）は、受付処理部がタッチパネルに表示させる応答受付画面の他の例を示す図である。
【図７】受付処理部が行う、応答受付画面を選択し表示するための処理を示すフローチャートである。
【図８】（ａ）は、家族Ｂがメッセージ送信ボタンを操作したときに入出力装置のタッチパネルに表示される応答情報を出力するための表示画面の一例を示す図、（ｂ）は、家族Ｂがビデオチャット開始ボタンを操作したときに入出力装置のタッチパネルに表示される応答情報を出力するための表示画面の一例を示す図である。
【図９】応援処理部が行う、応援処理を示すフローチャートである。
【図１０】広告出力処理を示すフローチャートである。
【図１１】予定日受付画面の一例を示す図である。
【図１２】第２実施形態に係る胎動情報共有システムの全体構成を示す図である。
【図１３】第２実施形態における、第１端末、第２端末、及び管理サーバの間で行われる処理を示したシーケンス図である。
【図１４】端末データベースの内容の一例を示す図である。
【図１５】ポイントデータベースの内容の一例を示す図である。
【図１６】受付情報を送信する際の処理を示すフローチャートである。
【図１７】応答出力部が応援ポイントに関する情報を表示するために、入出力装置のタッチパネルに表示させる表示画面の一例を示す図である。
【発明を実施するための形態】
【００２５】
以下、好ましい実施形態について図面を参照しつつ説明する。
〔システムの全体構成について〕
図１は、第１実施形態に係る胎動情報共有システムの全体構成を示す図である。
図１中、胎動情報共有システム１は、妊婦の胎動に関する情報（胎動情報）を、妊婦と、胎動情報の出力先となる遠隔地の家族（対象者）との間で共有するためのシステムであり、妊婦Ａに装着される胎動検出センサ２と、妊婦Ａが所有する第１端末３と、妊婦Ａの家族Ｂが所有する複数の第２端末４とを備えている。
なお、遠隔地とは、物理的に遠く離れている必要はなく、例えば、妊婦と家族とが壁を隔てて隣の部屋にいる場合等、妊婦と家族とが直接会話できない状況を含む。
【００２６】
第１端末３及び第２端末４は、例えば、スマートフォンで構成されている。なお、第１端末３及び第２端末４は、携帯電話やパソコン等によって構成することもできる。
第１端末３と、複数の第２端末４とは、互いにネットワーク５を介して通信可能に構成されている。
胎動検出センサ２は、妊婦Ａに装着されて当該妊婦Ａの胎動を検出するために用いられるセンサである。
【００２７】
図２は、胎動検出センサ２の外観図である。図２に示すように、胎動検出センサ２は、妊婦Ａに装着される本体部７と、本体部７から延びる接続線７ａに接続された出力回路８とを備えている。
本体部７は、腹帯９と、腹帯９に固定された複数のセンサシート１０とを備えている。
【００２８】
図３は、センサシート１０の断面図である。図３に示すように、センサシート１０は、センサ素子１０ａと、被覆部材１０ｂとを備えている。センサ素子１０ａは、長方形の面状に形成され、面方向に沿って伸縮変形可能に形成された静電容量素子によって構成されている。
被覆部材１０ｂは、伸縮異方性を有する布生地により形成されており、センサ素子１０ａの表面全体を覆っている。
【００２９】
センサシート１０は、面方向に伸縮変形可能なセンサ素子１０ａ及び被覆部材１０ｂによって構成されることで、面方向に伸縮変形可能である。
センサシート１０が面方向へ変形すれば、センサ素子１０ａも面方向へ変形する。センサ素子１０ａは、面方向へ変形するとその変形に応じて当該センサ素子１０ａの静電容量が変化する。よってセンサシート１０は、センサ素子１０ａの静電容量によって、センサシート１０に生じる変形状態を表すことができる。
【００３０】
センサ素子１０ａの一端には、センサ素子１０ａを出力回路８に接続するためのリード線１０ｃが設けられている。センサ素子１０ａは、リード線１０ｃ及びリード線１０ｃの先端に設けられた接続端子１０ｄを介して接続線７ａに接続され、出力回路８に接続される。
【００３１】
出力回路８は、センサ素子１０ａに電流を与えることで、センサ素子１０ａの静電容量を電気信号に変換し、変換した信号を出力する機能を有している。よって、出力回路８が出力する出力信号は、センサ素子１０ａの静電容量を示す信号として出力される。この出力信号の信号レベルがセンサシート１０の変形状態を表している。
このように、センサシート１０及び出力回路８は、センサシート１０の変形状態を検出し、出力信号として出力することができる。また、出力回路８は、各センサシート１０に対応した出力信号を出力する。
出力回路８は、第１端末３に対して有線によって接続されている。出力回路８は、各センサシート１０の出力信号を、第１端末３に与える。
【００３２】
図２に示すように、センサシート１０は、腹帯９に固定されている。センサシート１０は、その長手方向が腹帯９の長手方向に沿うように配置され、また、腹帯９の短手方向に沿って複列に並べて配置されている。
【００３３】
腹帯９は、妊婦Ａの腹部に装着される。よって、複数のセンサシート１０は、腹帯９とともに、妊婦Ａの腹部に沿った状態で配置される。このため、例えば、妊婦Ａに胎動が生じれば、複数のセンサシート１０は、胎動によって変形する。よって、胎動検出センサ２の出力信号の信号レベルには、胎動による変形に応じた変化が現れる。
【００３４】
なお、胎動検出センサ２の出力信号には、胎動による変形に応じた信号レベル変化と、それ以外の妊婦Ａの動作に伴う変形に応じた信号レベル変化とが現れると考えられる。
この点、胎動は、妊婦Ａの腹部表面が局部的に変形する場合が多い一方、妊婦Ａの動作によって腹部表面が局部的に変形することはあまりない。
【００３５】
そこで、本実施形態では、腹帯９の短手方向に沿って隣接して並べて配置されているセンサシート１０同士間で、変形に応じた信号レベル変化の変位を比較する。隣接して配置されているセンサシート１０同士間における変形に応じた信号レベル変化の変位差が大きければ、妊婦Ａの腹部表面が局部的に変形していると判断することができる。一方、変形に応じた信号レベル変化の変位差が小さければ、腹部表面が全体的に緩やかに動いているため、妊婦Ａの動作と判断することができる。
【００３６】
このようにして、本実施形態では、妊婦Ａの腹部表面が局部的に変形する場合と、そうでない場合とを特定し、妊婦Ａの腹部表面が局部的に変形する場合に胎動が生じていると判定するように構成されている。胎動検出センサ２の出力信号に基づいて胎動の有無を判定し検出する処理は、第１端末３によって行われる。なお、出力回路８が胎動の有無を判定し検出する処理を行うための機能部を備えている場合には、出力回路８で行ってもよい。
【００３７】
図１に戻って、第１端末３は、入出力装置１５と、処理装置１６とを備えている。
入出力装置１５は、妊婦Ａによる操作入力を受け付ける入力機能とともに、画面表示や、振動、又は音等によって妊婦Ａに対して出力を行う出力機能を有する。
処理装置１６は、第１端末３が有する他の端末との間の通信機能やその他必要な機能を実現するとともに、情報生成部１６ａと、応答出力部１６ｂとを機能的に有している。これら機能部が行う処理については、後に説明する。
【００３８】
第２端末４も第１端末３と同様、入出力装置１７と、処理装置１８とを備えている。
入出力装置１７は、第２端末４を操作する操作者による操作入力を受け付ける入力機能とともに、画面表示や、振動、又は音等によって操作者に対して出力を行う出力機能を有する。
処理装置１８は、第２端末４が有する他の端末との間の通信機能やその他必要な機能を実現するとともに、胎動情報出力部１８ａと、受付処理部１８ｂと、応援処理部１８ｃと、広告情報生成部１８ｄと、広告出力部１８ｅとを機能的に有している。これら機能部が行う処理については、後に説明する。
【００３９】
入出力装置１５及び入出力装置１７は、例えば、タッチパネル、スピーカ及び振動デバイスによって構成されている。なお、入出力装置は、キーボードや、モニタ等によって構成することもできる。
また、処理装置１６及び処理装置１８は、プロセッサや、メモリ又はハードディスクからなる記憶部等を備えたコンピュータによって構成されている。記憶部には、通信機能に関する処理や、通信アプリケーション、その他機能に関する処理を実行するためのプログラム等がインストールされているとともに、必要な情報等が記憶されている。第１端末３及び第２端末４が有する通信機能や、通信アプリケーション、その他の機能部は、プロセッサが記憶部に記憶されているプログラムを実行することで実現される。
【００４０】
〔システムが行う処理について〕
図４は、第１端末３と、第２端末４との間で行われる処理を示したシーケンス図である。
まず、図４において、第２端末４の受付処理部１８ｂは、自装置４が機能的に有しているカウンタのカウント値ｃを「０」にリセットする（ステップＳ１）。
【００４１】
第１端末３には、胎動検出センサ２から出力される出力信号（センサ出力）が常時与えられる。
第１端末３の情報生成部１６ａ（図１）は、胎動検出センサ２から与えられるセンサ出力を受け付けると（ステップＳ２）、センサ出力に基づいて胎動の有無を判定する（ステップＳ３）。胎動がないと判定すると、情報生成部１６ａは、継続してセンサ出力を受け付け（ステップＳ２）、胎動の有無を判定する（ステップＳ３）。
一方、胎動が生じていると判定すると、情報生成部１６ａは、センサ出力から検出した胎動に関する胎動情報を生成する（ステップＳ４）。
胎動情報は、胎動が検出されることに応じて生成される情報であり、胎動が生じたことを示す情報である。また、胎動情報は、検出された胎動が生じた日時や、胎動が生じていた期間の長さ等を含むことがある。
【００４２】
このように、情報生成部１６ａは、胎動検出センサ２から与えられる出力信号（センサ出力）に基づいて胎動の有無を検出し、胎動が検出された場合、この検出された胎動に関する胎動情報を生成する機能を有している。
なお、情報生成部１６ａが行う、胎動の有無を判定し検出する処理は、例えば、上述した方法で行われる。
【００４３】
次いで、第１端末３の情報生成部１６ａは、生成した胎動情報を、家族Ｂが所有する各第２端末４へ向けて第１端末３の通信機能を用いて送信する（ステップＳ５）。
処理装置１６（図１）の記憶部には、妊婦Ａの家族Ｂが所有する第２端末４との間で通信するために必要な通信アドレス等の情報が予め記憶されている。情報生成部１６ａは、記憶部に記憶されている通信アドレス等に関する情報を参照することで、胎動情報を各第２端末４へ向けて送信することができる。
【００４４】
第１端末３が送信した胎動情報を第２端末４が受信すると（ステップＳ６）、第２端末４の胎動情報出力部１８ａ（図１）は、第２端末４を所有する所有者（家族Ｂ）へ向けて胎動情報を出力する（ステップＳ７）。
胎動情報出力部１８ａは、入出力装置１７（図１）に胎動情報を表示することにより出力する。
【００４５】
図５は、胎動情報出力部１８ａが胎動情報を出力するために、入出力装置１７のタッチパネルに表示させる表示画面の一例を示す図である。
図５に示すように、胎動情報を表示するための表示画面２１は、入出力装置１７が有するタッチパネル２０に表示される。
【００４６】
表示画面２１は、妊婦を表すイラスト画像部２１ａと、胎動の特徴を示す特徴情報を表示するための特徴表示部２１ｂと、胎動回数を表示するための回数表示部２１ｃとを含んでいる。
イラスト画像部２１ａは、胎動を想起させるフラッシュ動画等の動画によって構成されており、胎動が生じたことを第２端末４を所有する家族Ｂへ報知する内容となっている。
【００４７】
特徴表示部２１ｂに表示される特徴情報は、胎動情報出力部１８ａにより与えられる。胎動情報出力部１８ａは、胎動情報が有する特徴（例えば、検出された胎動が生じていた期間の長さ）を予め複数の類型に分類した類型情報を有している。胎動情報出力部１８ａは、この類型情報を参照し、与えられた胎動情報がいずれの類型に該当するかを特定する。胎動情報出力部１８ａは、与えられた胎動情報が該当する類型によって示される胎動の特徴を特徴情報として特徴表示部２１ｂに表示する。
本実施形態では、胎動情報が有する特徴が、胎児の気持ちを擬似的に表す言葉と関連付けられている。胎動情報出力部１８ａは、特徴情報を胎児の気持ちを擬似的に表す言葉として表示するように構成されている。
なお、上記のように類型情報を設けずに、特徴情報を、後述する胎動回数と対応づけることもできる。具体的には、所定時間内（例えば１時間）の胎動回数が、所定の閾値１を超える場合、「元気」と表示させ、所定の閾値２よりも小さい場合、「睡眠中」などと表示させることができる。
【００４８】
回数表示部２１ｃに表示される胎動回数は、胎動情報出力部１８ａから与えられる。胎動情報出力部１８ａは、過去に胎動情報を受信し表示画面２１を表示した累計回数を胎動回数として与える。なお、胎動回数としては、例えば、１日の間や、過去数時間の間等、所定期間内における胎動情報を受信した回数としてもよい。
【００４９】
上述のように、表示画面２１は、妊婦Ａに胎動が生じたことや、その胎動の特徴が表示されており、胎動情報を表示している。
第２端末４を所有する家族Ｂは、タッチパネル２０に表示される表示画面２１を視認することで、妊婦Ａに胎動が生じたこと等、胎動情報を認識することができる。
【００５０】
また、胎動情報出力部１８ａは、入出力装置１７が有するスピーカ及び振動デバイスから音及び振動を生じさせることで、胎動が生じたことを第２端末４を所有する家族Ｂへ出力してもよい。この場合、胎動情報出力部１８ａは、スピーカによって胎動があったことを音声で出力してもよいし、音楽等を出力してもよい。また、胎動情報出力部１８ａは、振動デバイスによって胎動を模擬的に表すような振動を生じさせ、胎動が生じたことを出力してもよい。
【００５１】
このように、胎動情報出力部１８ａは、表示画面２１をタッチパネル２０に表示させたり、スピーカや振動デバイスによって音や振動を生じさせることで、胎動が生じたことを示す情報（胎動情報）を第２端末４を所有する家族Ｂへ出力する第１出力部を構成する。
【００５２】
図４に戻って、ステップＳ７において胎動情報出力部１８ａが胎動情報を出力すると、第２端末４の受付処理部１８ｂは、応答受付画面をタッチパネル２０に表示させるための処理を行う（ステップＳ８）。
応答受付画面は、妊婦Ａに胎動が生じたこと（胎動情報）を知らされたことに対する家族Ｂによる応答を受け付けるための画面である。
【００５３】
図６（ａ）は、受付処理部１８ｂがタッチパネル２０に表示させる応答受付画面の一例を示す図である。
図６（ａ）に示すように、応答受付画面２２は、タッチパネル２０に表示されている。
応答受付画面２２は、メッセージ送信ボタン２２ａと、スタンプ送信ボタン２２ｂと、ビデオチャット開始ボタン２２ｃとを含んでいる。
各ボタン２２ａ，２２ｂ，２２ｃは、操作者によるタッチ操作によって操作者による操作を受け付けることができる。
受付処理部１８ｂ（受付部）は、家族Ｂが当該各ボタン２２ａ，２２ｂ，２２ｃに対してタッチ操作することで、妊婦Ａに胎動があったこと（胎動情報）を知らされたことに対する家族Ｂによる応答を受け付けることができる。
【００５４】
図６（ｂ）は、受付処理部１８ｂがタッチパネル２０に表示させる応答受付画面の他の例を示す図である。
図６（ｂ）に示す、応答受付画面２２は、メッセージ送信ボタン２２ａ、スタンプ送信ボタン２２ｂ、及びビデオチャット開始ボタン２２ｃに加えて、プレゼントボタン２２ｄが加えられている。
各ボタン２２ａ，２２ｂ，２２ｃには、それぞれ妊婦Ａを応援するための異なる処理が対応付けられている。
【００５５】
メッセージ送信ボタン２２ａは、例えば、第２端末４にインストールされているメッセージ送信用アプリケーションを起動させる処理に対応付けられている。スタンプ送信ボタン２２ｂは、第２端末４にインストールされているスタンプ画像を送信可能なメッセージ送信用アプリケーションを起動させる処理に対応付けられている。また、ビデオチャット開始ボタン２２ｃは、第２端末４にインストールされているビデオチャット用アプリケーションを起動させる処理に対応付けられている。
また、プレゼントボタン２２ｄは、妊婦Ａに対するプレゼントに関連した情報を表示する処理に対応付けられている。
【００５６】
家族Ｂがいずれかのボタンを操作することで、各ボタン２２ａ，２２ｂ，２２ｃ，２２ｄが家族Ｂによる操作を受け付けると、受付処理部１８ｂは、後述するように、操作を受け付けたボタンに対応した応援のための処理を実行する。
また、受付処理部１８ｂは、各ボタン２２ａ，２２ｂ，２２ｃ，２２ｄが家族Ｂによる操作を受け付けると、後述するように、受付情報を第１端末３へ送信する。
但し、上記の通り、他のアプリケーションを起動して、妊婦に応援メッセージを伝えた場合、他のアプリケーションによって妊婦へ応援メッセージを第２端末４が送信したことを、第２端末４の受付処理部１８ｂ及び第１端末３の応答出力部１６ｂが認識することができれば、これを受付情報の送信とし、受付情報の第１端末３への送信を省略することもできる。
このように、受付処理部１８ｂは、応援のための処理を選択するための各ボタン２２ａ，２２ｂ，２２ｃ，２２ｄを家族Ｂに提示し、選択させることで、胎動に対する家族Ｂによる応答を受け付ける。
受付情報は、胎動に対する家族Ｂによる応答を当該受付処理部１８ｂが受け付けたことを、第１端末３へ通知するための情報である。
【００５７】
このように、受付処理部１８ｂが家族Ｂの操作を受け付ける複数のボタン（操作部）を備えているので、妊婦Ａに向けた処理として、複数のボタンそれぞれに異なる処理を対応付けることができる。
この結果、受付処理部１８ｂは家族Ｂに対して複数の選択肢を提示することができるとともに、胎動が生じたことに対する家族Ｂの、妊婦Ａの出産に係る期待値のレベルに応じた応答ができるようになっている。
【００５８】
図４中、ステップＳ８において、受付処理部１８ｂは、プレゼントボタン２２ｄを含まない応答受付画面２２を表示するのか、プレゼントボタン２２ｄを含む応答受付画面２２を表示するのかについての選択を行う。
【００５９】
図７は、受付処理部１８ｂが行う、応答受付画面２２を選択し表示するための処理を示すフローチャートである。
まず、受付処理部１８ｂは、自装置４が機能的に有しているカウンタのカウント値ｃが「５」より大きいか否かを判定する（ステップＳ２１）。
カウント値ｃが「４」より大きくない場合、受付処理部１８ｂは、ステップＳ２２へ進み、プレゼントボタン２２ｄを含まない応答受付画面２２（図６（ａ））を表示し、カウント値ｃに「１」を加えて戻る。
一方、カウント値ｃが「４」より大きい場合、受付処理部１８ｂは、ステップＳ２４へ進み、プレゼントボタン２２ｄを含む応答受付画面２２（図６（ｂ））を表示し、カウント値ｃを「０」にリセットして戻る。
【００６０】
よって、第２端末４が繰り返し胎動情報を受信し、胎動情報の出力及び応答受付画面の表示を繰り返して行う際、受付処理部１８ｂは、プレゼントボタン２２ｄを含まない応答受付画面を５回連続して表示した後、プレゼントボタンを含む応答受付画面を表示する。
つまり、受付処理部１８ｂは、応答受付画面を表示する機会の内、６回に１回の割合でプレゼントボタン２２ｄを含む応答受付画面を表示するように構成されている。
【００６１】
なお、この実施形態では、胎動情報のカウント値ｃに応じて、プレゼントボタン２２ｄを含む応答受付画面２２を表示するか否かを決定する例を示したが、上述の特徴情報に応じて、プレゼントボタン２２ｄを含む応答受付画面を表示するか否かを決定してもよい。また、図６（ａ）を設けることなく、上述の通り、胎動情報のカウント値ｃが所定の回数以上になった場合、もしくは特徴情報が所定の場合にのみ、プレゼントボタン２２ｄを含む応答受付画面（図６（ｂ）に相当）を出力するようにすることもできる。これらの場合でも、家族Ｂの、妊婦Ａの出産にかかる期待値が高まったタイミングでプレゼントボタン２２ｄを含む応答受付画面を出力できるという効果を奏する。そのため、後述する広告表示画面において、家族Ｂが商品を購入して、その商品を妊婦Ｂにプレゼントする回数を確実に増やすことができる。
【００６２】
図４に戻って、ステップＳ８において応答受付画面２２を表示すると、受付処理部１８ｂは、応答受付画面２２における各ボタン２２ａ，２２ｂ，２２ｃ，２２ｄが操作されたか否かを判定する（ステップＳ９）。
ステップＳ９において各ボタン２２ａ，２２ｂ，２２ｃ，２２ｄが操作されていないと判定する場合、受付処理部１８ｂは、応答受付画面２２を表示してから所定期間が経過したか否かを判定する（ステップＳ１０）。所定期間が経過していないと判定する場合、受付処理部１８ｂは、再度ステップＳ９に進み同様の処理を繰り返す。一方、所定期間が経過していると判定する場合、家族Ｂに応答の意思がないものとして、受付処理部１８ｂは処理を終える。
【００６３】
ステップＳ９において各ボタン２２ａ，２２ｂ，２２ｃ，２２ｄが操作されたと判定する場合、受付処理部１８ｂは、胎動が生じたことを知らされたことに対する家族Ｂによる応答を当該受付処理部１８ｂが受け付けたことを通知するための情報である受付情報を第１端末３へ送信する（ステップＳ１１）。
また、受付処理部１８ｂは、家族Ｂが各ボタン２２ａ，２２ｂ，２２ｃ，２２ｄの内、いずれのボタンを操作したかを示す操作ボタン情報を受付情報に含めて送信する。
【００６４】
処理装置１８の記憶部には、第１端末３との間の通信に必要な通信先情報が予め記憶されている。受付処理部１８ｂは、第２端末４の通信機能を用いるとともに、記憶部に記憶されている通信先情報を参照し、受付情報を第１端末３へ向けて送信することができる。
【００６５】
第２端末４の受付処理部１８ｂが送信した受付情報を第１端末３が受信すると（ステップＳ１２）、第１端末３の応答出力部１６ｂは、第２端末４の受付処理部１８ｂが家族Ｂによる前記応答を受け付けたことを示すための応答情報を、第１端末３を所有する妊婦Ａへ出力する（ステップＳ１３）。
【００６６】
応答出力部１６ｂ（第２出力部）は、受付情報に含まれる操作ボタン情報を参照し、操作ボタン情報が示す各ボタン２２ａ，２２ｂ，２２ｃ，２２ｄに対応する応答情報を出力する。
応答出力部１６ｂは、入出力装置１５のタッチパネルに応答情報を表示することにより出力する。
【００６７】
図８（ａ）は、家族Ｂがメッセージ送信ボタン２２ａを操作したときに入出力装置１５のタッチパネルに表示される応答情報を出力するための表示画面の一例を示す図である。
図８（ａ）に示すように、応答情報を出力するための表示画面２６は、入出力装置１５が有するタッチパネル２５に表示されている。
【００６８】
表示画面２６は、胎動について認識したことを妊婦Ａに伝えるためのメッセージ（応答情報）及び家族Ｂが操作したボタンに対応するメッセージが表示されるメッセージ表示部２６ａと、ボタンを操作した家族Ｂの氏名が表示される氏名表示部２６ｂと、妊婦Ａが表示メッセージを確認したことを受け付けるための確認ボタン２６ｃとを含んでいる。
【００６９】
図８（ｂ）は、家族Ｂがビデオチャット開始ボタン２２ｃを操作したときに入出力装置１５のタッチパネルに表示される応答情報を出力するための表示画面の一例を示す図である。
図８（ｃ）は、家族Ｂがプレゼントボタン２２ｄを操作したときに入出力装置１５のタッチパネルに表示される応答情報を出力するための表示画面の一例を示す図である。
このように、応答出力部１６ｂは、家族Ｂが操作した操作ボタンに対応する応答情報を出力する。
【００７０】
妊婦Ａは、応答情報を出力するための表示画面２６を見れば、家族Ｂの氏名を認識することができるとともに、その家族Ｂが当該妊婦Ａに胎動が生じたことを知っていることを認識することができる。
【００７１】
すなわち、上記構成のシステム１によれば、胎動が検出されたことを示す胎動情報をほぼリアルタイムで家族Ｂへ出力するので、家族Ｂは妊婦Ａの胎動があったことを妊婦Ａによる連絡を介することなく認識できる。これにより、家族Ｂの、妊婦Ａの出産に関する期待感を、効果的に高めることができる。
また、妊婦Ａは、胎動があったことを妊婦Ａ自身が伝えていない家族Ｂから、胎動があったことについての応答を受け取ることができる。
このため、妊婦Ａ及び家族Ｂは、胎動があったことについての情報を互いに伝え合うことなく、胎動があったという同じ事実を認識することができる。この結果、妊婦Ａ及び家族Ｂにおける、胎動があったことについての互いの共有感を高めることができる。更に、孤独感を感じがちな妊婦Ａが、家族Ｂからの応援メッセージなどをリアルタイムに受け取ることが可能となるため、妊婦の満足感を向上することができる。
【００７２】
妊婦Ａは、表示画面２６を確認すると、確認ボタン２６ｃを操作する。
確認ボタン２６ｃが妊婦Ａの操作を受け付けると、応答出力部１６ｂは、図４に示すように、応答出力部１６ｂは、妊婦Ａが家族Ｂによる応答を確認したことを示す応答確認を第２端末４へ向けて送信する（ステップＳ１４）。
【００７３】
第１端末３からの応答確認を第２端末４が受信すると（ステップＳ１５）、第２端末４の応援処理部１８ｃは、応援処理を実行する（ステップＳ１６）。
【００７４】
図９は、応援処理部１８ｃが行う、応援処理を示すフローチャートである。
応援処理部１８ｃは、家族Ｂによってプレゼントボタン２２ｄが操作されたか否かを判定する（ステップＳ３１）。
プレゼントボタン２２ｄが操作されたと判定する場合、応援処理部１８ｃは、広告出力処理を広告情報生成部１８ｄ及び広告出力部１８ｅに実行させ（ステップＳ３２）、戻る。
【００７５】
一方、プレゼントボタン２２ｄが操作されていないと判定する場合、他のボタン２２ａ，２２ｂ，２２ｃが家族Ｂによって操作されているので、応援処理部１８ｃは、家族Ｂが操作したボタンに対応する通信アプリケーションを起動させ（ステップＳ３３）、戻る。
家族Ｂは、応援処理部１８ｃが起動した通信アプリケーション（メッセージアプリ、スタンプアプリ、ビデオチャットアプリ等）を利用して妊婦Ａを応援することができる。
【００７６】
図１０は、広告出力処理を示すフローチャートである。
図９中、ステップＳ３２において広告出力処理に移行すると、まず、広告情報生成部１８ｄが妊婦Ａの出産予定日を受け付けているか否かを判定する（ステップＳ３５）。
出産予定日を受け付けていないと判定すると、広告情報生成部１８ｄは、出産予定日を受け付けるための予定日受付画面を第２端末４のタッチパネル２０に表示させる（ステップＳ３６）。
【００７７】
図１１は、予定日受付画面の一例を示す図である。
図１１に示すように、予定日受付画面３０は、出産予定日を受け付けるための入力ボックス３０ａと、家族Ｂが入力した出産予定日の受け付けを要求するための決定ボタン３０ｂとを含む。
【００７８】
家族Ｂは、予定日受付画面３０の入力ボックス３０ａに出産予定日を入力した後、決定ボタン３０ｂを操作する。
決定ボタン３０ｂが家族Ｂの操作を受け付けると、広告情報生成部１８ｄは、妊婦Ａの出産予定日を受け付け（ステップＳ３７）、ステップＳ３８へ進む。
【００７９】
図１０中、ステップＳ３５において出産予定日を受け付けていると判定する場合、広告情報生成部１８ｄは、ステップＳ３８へ進む。
【００８０】
広告情報生成部１８ｄは、ステップＳ３８に進むと、現在日と妊婦Ａの出産予定日との差に基づいて広告情報を生成する（ステップＳ３８）。
ここで、家族Ｂは、妊婦Ａに対してプレゼントすることについて応答している。よって、広告情報生成部１８ｄは、妊婦Ａに対するプレゼントのための広告情報を生成する。
広告情報としては、妊婦Ａに対するプレゼントに関する商品の宣伝のための情報、及びこの商品を販売する販売者に関する情報が含まれる。
【００８１】
また、広告情報生成部１８ｄは、現在日と妊婦Ａの出産予定日との差に基づいて広告情報を生成するので、妊婦Ａの出産予定日までの時期に応じた適切なプレゼント商品に関する広告情報を生成することができる。
【００８２】
ステップＳ３８において広告情報生成部１８ｄが広告情報を生成すると、次いで、広告出力部１８ｅは、広告情報に基づいた広告を第２端末４のタッチパネル２０に表示する（ステップＳ３９）。
【００８３】
広告出力部１８ｅは、妊婦Ａに対するプレゼントに関する商品の宣伝のための情報、及びこの商品を販売する販売者に関する情報をタッチパネル２０に表示してもよいし、これら商品を販売する販売者のウエブサイトを表示してもよい。
【００８４】
なお、広告情報生成部１８ｄ及び広告出力部１８ｅによる広告出力処理は、プレゼントボタン２２ｄが操作されないと実行されない。
ここで、プレゼントボタン２２ｄは、上述したように、胎動情報が出力され応答受付画面が表示される機会の内、６回に１回の割合でプレゼントボタン２２ｄを含む応答受付画面を表示するように構成されている。
【００８５】
つまり、本実施形態では、受付処理部１８ｂが胎動情報出力部１８ａによる胎動情報の出力回数（カウンタのカウント値ｃ）をカウントし、出力回数が６回となったときに広告出力部１８ｅに広告情報を家族Ｂへ出力させるように構成されている。
これにより、家族Ｂへ胎動情報を出力するごとに広告情報を出力するのではなく、一定の間隔を置いて広告情報を出力することができ、家族Ｂの期待感が高まったタイミングで広告情報を出力することができる。そのため、広告表示画面において、家族Ｂが商品を購入して、その商品を妊婦Ｂにプレゼントする回数を確実に増やすことができる。
【００８６】
なお、上記実施形態では、第１端末３の応答出力部１６ｂが出力する応答情報を、入出力装置１５のタッチパネルに表示する場合を例示したが、例えば、応答情報は、文字、画像、音声、動画、及び振動の内、いずれか１つ、又はこれらの組み合わせによって出力してもよい。
【００８７】
〔第２実施形態について〕
図１２は、第２実施形態に係る胎動情報共有システムの全体構成を示す図である。
本実施形態のシステム１では、複数の妊婦Ａと、これら複数の妊婦Ａそれぞれに対応する複数の家族Ｂとの間に介在して情報の授受を行う管理サーバ３５を備えている点である。
【００８８】
本実施形態では、複数の妊婦Ａ（図例では、妊婦Ａ１，Ａ２）、及び、複数の妊婦Ａそれぞれに対応する複数の家族Ｂ（図例では、家族Ｂ１，Ｂ２）は、ネットワーク５を介して管理サーバ３５と通信を行う。よって、妊婦Ａ（Ａ１，Ａ２）と、家族Ｂ（Ｂ１，Ｂ２）とは、互いに管理サーバ３５を介して通信を行う。
【００８９】
妊婦Ａ１，Ａ２における胎動検出センサ２及び第１端末３は、第１実施形態と同様の構成である。家族Ｂ１，Ｂ２における第２端末４も第１実施形態と同様の構成である。
【００９０】
管理サーバ３５は、処理装置３６と、記憶装置３７とを備えている。
処理装置３６は、管理サーバ３５が有する他の端末との間の通信機能やその他必要な機能を実現するとともに、情報管理部３６ａと、ポイント管理部３６ｂとを機能的に有している。これら機能部が行う処理については、後に説明する。
【００９１】
記憶装置３７は、メモリやハードディスク等により構成されており、端末データベース３７ａと、ポイントデータベース３７ｂとを記憶している。これら両データベース３７ａ，３７ｂについても、後に説明する。
【００９２】
図１３は、第２実施形態における、第１端末３、第２端末４、及び管理サーバ３５の間で行われる処理を示したシーケンス図である。なお、図１３では、妊婦Ａ１及びその家族Ｂ１との間の処理について説明する。
まず図１３において、妊婦Ａ１に胎動が検出されると（ステップＳ４０）、第１端末３は、図４において説明した処理を行って胎動情報を生成し、生成した胎動情報を管理サーバ３５へ向けて送信する（ステップＳ４１）。
【００９３】
第１端末３が送信した胎動情報を管理サーバ３５が受信すると（ステップＳ４２）、管理サーバ３５の情報管理部３６ａ（図１２）は、記憶装置３７に記憶されている端末データベース３７ａを参照する。
【００９４】
図１４は、端末データベース３７ａの内容の一例を示す図である。
図１４に示すように、端末データベース３７ａには、各第１端末３の通信アドレス、これら第１端末３を所有する妊婦Ａの氏名、その妊婦Ａの家族Ｂが所有する第２端末４の通信アドレス、及びこれら第２端末４を所有する家族Ｂの氏名が家族単位で対応付けて登録されている。
【００９５】
よって、例えば、妊婦Ａ１が所有する第１端末３からの情報を、管理サーバ３５が受信した場合、管理サーバ３５は、受信した情報の送信元の通信アドレスと、端末データベース３７ａとに基づいて、妊婦Ａ１に対応する家族Ｂ１が所有する第２端末４の通信アドレスを特定することができる。
逆に、管理サーバ３５が家族Ｂ１が所有する第２端末４からの情報を受信した場合、管理サーバ３５は、家族Ｂ１に対応する妊婦Ａ１が所有する第１端末３の通信アドレスを特定することができる。
【００９６】
よって、図１３中、ステップＳ４２において管理サーバ３５が第１端末３からの胎動情報を受信すると、管理サーバ３５の情報管理部３６ａは、記憶装置３７に記憶されている端末データベース３７ａを参照し、受信した胎動情報の送信元の第１端末３を所有する妊婦Ａ１に対応する家族Ｂ１の第２端末４の通信アドレスを特定する。
【００９７】
次いで、情報管理部３６ａは、特定した第２端末４の通信アドレスに向けて受信した胎動情報を送信する（ステップＳ４３）。
このように、管理サーバ３５は、第１端末３が送信した胎動情報を当該第１端末３を所有する妊婦Ａ１に対応する家族Ｂ１が所有する第２端末４へ中継する。
【００９８】
管理サーバ３５からの胎動情報を第２端末４が受信すると（ステップＳ４４）、第２端末４は、当該第２端末４を所有する家族Ｂ１へ胎動情報を出力するとともに、応答受付画面を表示して家族Ｂ１による応答を受け付ける。なおこれら処理は、図４中、ステップＳ６からステップＳ１０と同様である。
【００９９】
第２端末４は、応答受付画面によって家族Ｂ１による応答を受け付けると、受付情報を管理サーバ３５へ送信する（ステップＳ４５）。
【０１００】
第２端末４が送信した受付情報を管理サーバ３５が受信すると（ステップＳ４６）、管理サーバ３５のポイント管理部３６ｂ（図１２）は、記憶装置３７に記憶されている端末データベース３７ａを参照する。
管理サーバ３５のポイント管理部３６ｂは、記憶装置３７に記憶されている端末データベース３７ａを参照し、受信した受付情報の送信元の第２端末４を所有する家族Ｂ１に対応する妊婦Ａ１の第１端末３の通信アドレスを特定する。
【０１０１】
さらにポイント管理部３６ｂは、記憶装置３７に記憶されているポイントデータベース３７ｂを参照する。
図１５は、ポイントデータベース３７ｂの内容の一例を示す図である。
図１５に示すように、ポイントデータベース３７ｂには、各第１端末３の通信アドレス、これら第１端末３を所有する妊婦Ａの氏名、これら第１端末３を所有する妊婦Ａに付与された応援ポイント、及び、妊婦Ａの胎動回数が対応付けて登録されている。妊婦Ａの胎動回数とは、妊婦Ａが所有する第１端末３からの胎動情報を受信した回数であり、管理サーバ３５が胎動情報を受信するごとに更新される。
【０１０２】
応援ポイントとは、管理サーバ３５のポイント管理部３６ｂによって各妊婦Ａに対して付与されるポイントであり、第２端末４の受付処理部１８ｂが応答受付画面によって家族Ｂによる応答を受け付けるごとに応答先の妊婦Ａに付与される。
ポイント管理部３６ｂは、ポイントデータベース３７ｂの内容について登録、更新を行い、妊婦Ａごとに応援ポイント及び胎動回数を管理する。
【０１０３】
管理サーバ３５が受付情報を受信すれば、この受付情報の送信元の第２端末４の受付処理部１８ｂは、応答受付画面によって家族Ｂによる応答を受け付けている。
よって、図１３に示すように、第２端末４が送信した受付情報を管理サーバ３５が受信し（ステップＳ４６）、受信した受付情報の送信元の第２端末４に対応する妊婦Ａ１の第１端末３の通信アドレスを特定すると、ポイント管理部３６ｂは、ポイントデータベース３７ｂを参照し、特定した妊婦Ａ１の第１端末の通信アドレスに対応して登録されている応援ポイントに対して付与すべきポイントを加算し（ステップＳ４７）、ポイントデータベース３７ｂを更新する。
【０１０４】
なお、ポイント管理部３６ｂは、受付情報を受信するごとに一定のポイント数を付与してもよいし、受付情報に含まれる前記操作ボタン情報を参照し、家族Ｂが各ボタン２２ａ，２２ｂ，２２ｃ，２２ｄの内、いずれのボタンを操作したかに応じて、付与すべきポイント数に差を設けてもよい。
【０１０５】
次いで、管理サーバ３５の情報管理部３６ａは、特定した第１端末３の通信アドレスに向けて受信した受付情報を送信する（ステップＳ４８）。
このように、管理サーバ３５は、第２端末４が送信した受付情報を、当該第２端末４を所有する家族Ｂ１に対応する妊婦Ａ１が所有する第１端末３へ中継する。
【０１０６】
管理サーバ３５の情報管理部３６ａは、受付情報を第１端末３へ送信する際、ポイントデータベース３７ｂに登録されている妊婦Ａ１の応援ポイントに関する情報を、当該受付情報とともに第１端末３へ送信するか否かを判定する（ステップＳ４８）。
【０１０７】
図１６は、受付情報を送信する際の処理を示すフローチャートである。
受付情報の送信を決定した情報管理部３６ａは、まず、現時点が所定のタイミングか否かを判定する（ステップＳ６１）。
現時点が所定のタイミングでないと判定すると、情報管理部３６ａは、受付情報のみを第１端末３へ送信し（ステップＳ６２）、戻る。
一方、現時点が所定のタイミングであると判定すると、情報管理部３６ａは、応援ポイントに関する情報を受付情報とともに送信し（ステップＳ６３）、戻る。
【０１０８】
ここで、応援ポイントに関する情報は、付与された応援ポイントの合計数が多い妊婦Ａの上位者の氏名及びそのポイント数と、送信先である第１端末３を所有する妊婦Ａ１に付与された応援ポイントの合計数とを含む。
ここで、所定のタイミングとは、例えば、午後０時を過ぎた後、最初に受付情報を送信するタイミングや、受付情報のみを所定回数送信した後、さらに受付情報を送信するタイミング等に設定される。
【０１０９】
管理サーバ３５が送信した受付情報を第１端末３が受信すると（ステップＳ４９）、第１端末３は、家族Ｂ１による応答を受け付けたことを示すための応答情報を、第１端末３を所有する妊婦Ａ１へ出力するとともに、応答確認の受付及び送信を行う（ステップＳ５０）。なお、ステップＳ５０の処理は、図４中、ステップＳ１３からステップＳ１６と同様である。この場合、管理サーバ３５は、第１端末３から第２端末４へ向けて送信される応答確認についても中継する。
【０１１０】
さらに、第１端末３が受付情報とともに応援ポイントに関する情報も受信した場合、第１端末３の応答出力部１６ｂは、この応援ポイントに関する情報を妊婦Ａ１に出力する（ステップＳ５１）。
応答出力部１６ｂは、入出力装置１５のタッチパネルに応援ポイントに関する情報を表示することにより出力する。
【０１１１】
図１７は、応答出力部１６ｂが応援ポイントに関する情報を表示するために、入出力装置１５のタッチパネルに表示させる表示画面の一例を示す図である。
図１７中、タッチパネル２５に表示される表示画面２９は、付与された応援ポイントの合計数が多い妊婦Ａの上位者の氏名及びポイント合計数を表示するための上位者表示部２９ａと、この応援ポイントに関する情報を受信した第１端末３を所有する妊婦Ａ１の応援ポイントの合計数を表示するためのポイント表示部２９ｂとを含んでいる。
このように、第１端末３の応答出力部１６ｂは、妊婦Ａ１に付与された応援ポイントの合計数を妊婦Ａ１に出力するポイント出力部を構成している。
【０１１２】
本実施形態では、応援ポイントの合計数が上位である複数の他の妊婦Ａそれぞれに付与された応援ポイントの合計数と、妊婦Ａ１に付与された応援ポイントの合計数とを、第１端末３の応答出力部１６ｂが妊婦Ａ１に出力するので、複数の妊婦Ａ同士でポイント数を競わせることができる。
【０１１３】
これにより、妊婦Ａに、自身の応援ポイントの合計数を増加させるために、自身の家族Ｂに働きかけを行わせることができ、妊婦Ａと家族Ｂとの間の共有感、および出産に関する期待感をより高めることができる。
さらに、家族Ｂが各ボタン２２ａ，２２ｂ，２２ｃ，２２ｄの内、いずれのボタンを操作したかに応じて、付与すべきポイント数に差が設けられている場合、妊婦Ａと家族Ｂとの間における話題を提供することができ、妊婦Ａと家族Ｂとの間の共有感をさらに高めることができる。
【０１１４】
なお、上記実施形態では、妊婦Ａが所有する第１端末３とその家族Ｂが所有する第２端末４とが管理サーバ３５を介して行う処理について示したが、より多くのポイントを獲得したい妊婦Ａは、家族Ｂだけではなく、親しい友人などにも胎動情報が送信されるように、友人等の端末をその妊婦Ａの第１端末３に対応する第２端末４として管理サーバ３５に登録してもよい。つまり、第２端末４の所有者は、妊婦Ａの家族Ｂに限定されるものではなく、妊婦Ａの友人等であってもよい。これにより、胎動情報を出力する対象者が増えることになり、対象者が広告表示画面から商品を購入して、妊婦にプレゼントする回数を更に増加させることが可能となる。
【０１１５】
〔その他〕
本発明は、上記各実施形態に限定されるものではない。
例えば、図９中、第１端末３の情報生成部１６ａによる胎動情報の送信（ステップＳ５）及び第２端末４による胎動情報の受信（ステップＳ６）、第２端末４の受付処理部１８ｂによる受付情報の送信（ステップＳ１１）及び第１端末３による受付情報の受信（ステップＳ１２）、第１端末３の応答出力部１６ｂによる応答確認の送信（ステップＳ１４）及び第２端末４による応答確認の受信（ステップＳ１５）については、各機能部が各端末の通信機能を用いて通信を行う他、各端末にインストールされている通信アプリケーションを本実施形態のシステムを構成する各機能部が制御することによって行うこともできる。
【０１１６】
上記各実施形態では、センサ素子１０ａとして、素子本体の伸張状態に応じて静電容量が変化する静電容量式のセンサ素子を用いた場合を例示したが、本発明はこれに限られるものではない。例えば、素子本体の伸張状態に応じて抵抗値が変化する抵抗式のセンサ素子はもちろん、素子に作用する圧力を検出する圧力センサ素子なども好適に用いることができる。
【０１１７】
また、上記各実施形態では、静電容量式のセンサ素子を含むセンサシート１０を１次元的に配列しかつ１次元的に検出する場合を例示したが、腹帯９の長手方向及び短手方向それぞれに２次元的にセンサシート１０を配列しかつ２次元的に胎動を検出するようにすることもできる。この場合、胎動を２次元、かつ広範囲に渡って検出することが可能になる。
【０１１８】
また、上記各実施形態では、出力回路８と第１端末３とが有線で接続されている場合を例示したが、無線ＬＡＮ等によって無線接続とすることもできる。
【０１１９】
上記各実施形態で示した腹帯９は、出産後は、乳児の枕カバーとして使用できるようにすることも可能である。この場合、センサは、乳児の着床、起床を検出することが可能である。検出した着床、起床データをもとに、胎児の睡眠情報（胎動情報に相当）を生成して、上記と同様の仕組みで、リアルタイムで胎児の睡眠情報を家族と共有するようにすることもできる。このように構成することにより、睡眠時間が少なく、乳児の母親の負担が大きくなっていることが予想される場合に、家族から母親に対して、リアルタイムで応援メッセージを送ることができる。
このような変更は、ネットワークを介して、端末のプログラムを更新することにより、容易に行うことができる。
【０１２０】
更に、上記各実施形態において、例えば、第１端末が備える記憶装置に胎動検出回数を、胎動検出時刻と共に記憶しておき、当該第１端末の処理装置により、それらのデータから過去の胎動検出履歴情報を作成し、当該第１端末の第２出力部に出力するようにすることもできる。これにより、胎児の状況や成長度合いなどを可視化することができるため、妊婦の満足感、安心感が向上する。
【０１２１】
なお、胎動検出回数、胎動検出時刻を記憶する記憶装置は、第１端末内に設けられることが必須ではなく、例えば、管理サーバ内に設けられても良い。この場合、管理サーバの処理装置が過去の胎動検出履歴情報を生成し、第１端末の第２出力部に送信するように構成することができる。同様に、胎動検出回数、胎動検出時刻を記憶する記憶装置は、第２端末内に設けられることもできる。
また、過去の胎動検出履歴情報を、第１端末の第２出力部だけではなく、第２端末の第１出力部に出力するようにしてもよい。この場合、妊婦だけではなく、妊婦の家族及び知人の満足感、安心感を向上することができる。
【符号の説明】
【０１２２】
１  胎動情報共有システム
２  胎動検出センサ
３  第１端末
４  第２端末
５  ネットワーク
７  本体部
７ａ  接続線
８  出力回路
９  腹帯
１０  センサシート
１０ａ  センサ素子
１０ｂ  被覆部材
１０ｃ  リード線
１０ｄ  接続端子
１５  入出力装置
１６  処理装置
１６ａ  情報生成部
１６ｂ  応答出力部
１７  入出力装置
１８  処理装置
１８ａ  胎動情報出力部
１８ｂ  受付処理部
１８ｃ  応援処理部
１８ｄ  広告情報生成部
１８ｅ  広告出力部
２０  タッチパネル
２１  表示画面
２１ａ  イラスト画像部
２１ｂ  特徴表示部
２１ｃ  回数表示部
２２  応答受付画面
２２ａ  メッセージ送信ボタン
２２ｂ  スタンプ送信ボタン
２２ｃ  ビデオチャット開始ボタン
２２ｄ  プレゼントボタン
２５  タッチパネル
２６  表示画面
２６ａ  メッセージ表示部
２６ｂ  氏名表示部
２６ｃ  確認ボタン
２９  表示画面
２９ａ  上位者表示部
２９ｂ  ポイント表示部
３０  予定日受付画面
３０ａ  入力ボックス
３０ｂ  決定ボタン
３５  管理サーバ
３６  処理装置
３６ａ  情報管理部
３６ｂ  ポイント管理部
３７  記憶装置
３７ａ  端末データベース
３７ｂ  ポイントデータベース
【図１】
2018171265.tif 000003
【図２】
2018171265.tif 000004
【図３】
2018171265.tif 000005
【図４】
2018171265.tif 000006
【図５】
2018171265.tif 000007
【図６】
2018171265.tif 000008
【図７】
2018171265.tif 000009
【図８】
2018171265.tif 000010
【図９】
2018171265.tif 000011
【図１０】
2018171265.tif 000012
【図１１】
2018171265.tif 000013
【図１２】
2018171265.tif 000014
【図１３】
2018171265.tif 000015
【図１４】
2018171265.tif 000016
【図１５】
2018171265.tif 000017
【図１６】
2018171265.tif 000018
【図１７】
2018171265.tif 000019